(57)【要約】【課題】第１のプリント基板に対する第２のプリント基板の着脱作業の容易化を図る上で有利なプリント基板の結合構造および電子機器を提供する。【解決手段】枠部材５０の係合溝５０１０に、第２のプリント基板３０の係止爪３００４を挿入した状態で該係止爪３００４との係合箇所を支点として第２のプリント基板３０を第１のプリント基板側に揺動させコネクタ３００６とコネクタ２００８とを装着させる。蓋部材６０の係合片６０１６を係合孔５０１４に挿入して係合させた状態で、係合片６０１６と係合孔５０１４の係合箇所を支点として蓋部材６０を枠部材５０側に揺動させ、係合孔６０１２に係合凸部５０１２を係合させる。これにより、押え片６０２０が押え部材６０１８を介して第１のプリント基板２０のコネクタ２００８に装着された第２のプリント基板３０部分を押さえる。【選択図】　　　　図１１
2004103687.tif 000002
【特許請求の範囲】
【請求項１】
第１のプリント基板に、前記第１のプリント基板よりも小形の第２のプリント基板を装脱可能に結合させる構造であって、
前記第１のプリント基板に該第１のプリント基板の回路部に接続するコネクタが設けられ、
前記第２のプリント基板に該第２のプリント基板の回路部に接続するコネクタが設けられ、
前記第１、第２のプリント基板の双方のコネクタを装着した状態を保持させる方向に第２のプリント基板を第１のプリント基板に対して押さえる押え片が前記第１のプリント基板に着脱可能に設けられている、
ことを特徴とするプリント基板の結合構造。
【請求項２】
第１のプリント基板に、前記第１のプリント基板よりも小形の第２のプリント基板を装脱可能に結合させる構造であって、
前記第２のプリント基板に係合部が設けられるとともに、該第２のプリント基板の回路部に接続するコネクタが設けられ、
前記第１のプリント基板に、前記係合部が係脱される係合部が設けられるとともに、前記コネクタに装脱可能なコネクタが設けられ、
前記第１のプリント基板の係合部と第２のプリント基板の係合部は、双方が係合した状態で前記第２のプリント基板のコネクタと第１のプリント基板のコネクタとが装着されるように構成され、
さらに、双方のコネクタが装着された状態を保持させる方向に第２のプリント基板を押さえる押え片が前記第１のプリント基板に着脱可能に設けられている、
ことを特徴とするプリント基板の結合構造。
【請求項３】
第１のプリント基板に対して、該第１のプリント基板よりも小形な第２のプリント基板を装脱可能に結合させるプリント基板の結合構造を備えた電子機器であって、
前記第２のプリント基板に係合部が設けられるとともに、該第２のプリント基板の回路部に接続するコネクタが設けられ、
前記第１のプリント基板に、前記係合部が係脱される係合部が設けられるとともに、前記コネクタに装脱可能なコネクタが設けられ、
前記第１のプリント基板の係合部と第２のプリント基板の係合部は、双方が係合した状態で前記第２のプリント基板のコネクタと第１のプリント基板のコネクタとが装着されるように構成され、
さらに、双方のコネクタが装着された状態を保持させる方向に第２のプリント基板を押さえる押え片が前記第１のプリント基板に着脱可能に設けられている、
ことを特徴とする電子機器。
【請求項４】
前記第２のプリント基板の係合部は該第２のプリント基板の端部に設けられ、前記第２のプリント基板のコネクタは前記係合部とは反対側の第２のプリント基板の端部寄りの箇所に設けられ、前記第１のプリント基板の係合部と第２のプリント基板の係合部は、双方が係合した状態で該係合箇所を支点として第２のプリント基板を揺動させると前記第２のプリント基板のコネクタと第１のプリント基板のコネクタとが装脱するように構成されていることを特徴とする請求項２記載のプリント基板の結合構造または請求項３記載の電子機器。
【請求項５】
前記第１のプリント基板に、電磁波をシールドする材料からなる枠状の枠部材が設けられ、前記第１のプリント基板のコネクタは前記枠部材の内部に配置され、前記第１のプリント基板の係合部は前記枠部材に設けられ、双方の係合部が係合し双方のコネクタが装着した状態で前記第２のプリント基板は前記枠部材の内側に収容されるように配設され、前記押え片は電磁波をシールドする材料から形成され、前記押え片は前記枠部材を覆い該押え片と枠部材とで形成される空間の内部に第２のプリント基板を位置させるように構成されていることを特徴とする請求項２記載のプリント基板の結合構造または請求項３記載の電子機器。
【請求項６】
前記押え片には弾性部材が取着され、前記双方のコネクタが装着された状態で前記弾性部材は圧縮され、この弾性部材の弾性力により双方のコネクタを装着させた状態に付勢することを特徴とする請求項２記載のプリント基板の結合構造または請求項３記載の電子機器。
【発明の詳細な説明】
【０００１】
【発明の属する技術分野】
本発明はプリント基板の結合構造および電子機器に関する。
【０００２】
【従来の技術】
電子機器において、その筐体内部の第１のプリント基板に対して、該第１のプリント基板よりも小形な第２のプリント基板を装脱可能に配設する場合がある。この場合、第１のプリント基板にコネクタを設けるとともに、第２のプリント基板にコネクタを設け、第１のプリント基板と第２のプリント基板との間に間隔を確保するためのスペーサ部材を配置した後、第１、第２のプリント基板を互いに重ね合わせて双方のコネクタを装着し、複数のねじによって第２のプリント基板を第１のプリント基板に取付けることがなされている。
【０００３】
【発明が解決しようとする課題】
しかしながら、このような複数のねじを用いて第２のプリント基板を第１のプリント基板に取付ける構成では、第２のプリント基板を第１のプリント基板に対して装脱する際に、ドライバーを用いて複数のねじの取付け、取り外しを行なう必要があり、作業が煩雑なものとなっていた。
本発明は前記事情に鑑みなされたものであり、その目的とするところは、第１のプリント基板に対する第２のプリント基板の着脱作業の容易化を図る上で有利なプリント基板の結合構造および電子機器を提供することにある。
【０００４】
【課題を解決するための手段】
本発明は、前記目的を達成するため、第１のプリント基板に、前記第１のプリント基板よりも小形の第２のプリント基板を装脱可能に結合させる構造であって、前記第１のプリント基板に該第１のプリント基板の回路部に接続するコネクタが設けられ、前記第２のプリント基板に該第２のプリント基板の回路部に接続するコネクタが設けられ、前記第１、第２のプリント基板の双方のコネクタを装着した状態を保持させる方向に第２のプリント基板を第１のプリント基板に対して押さえる押え片が前記第１のプリント基板に着脱可能に設けられていることを特徴とする。
そのため本発明によれば、第１、第２のプリント基板の双方のコネクタが装着された状態で押え片を第１のプリント基板に装着することにより、第１、第２のプリント基板の双方のコネクタが装着された状態に保持される。そして、押え片を第１のプリント基板から外すことにより、第１、第２のプリント基板の双方のコネクタが装着された状態を解除することできる。
また、本発明は、第１のプリント基板に、前記第１のプリント基板よりも小形の第２のプリント基板を装脱可能に結合させる構造であって、前記第２のプリント基板に係合部が設けられるとともに、該第２のプリント基板の回路部に接続するコネクタが設けられ、前記第１のプリント基板に、前記係合部が係脱される係合部が設けられるとともに、前記コネクタに装脱可能なコネクタが設けられ、前記第１のプリント基板の係合部と第２のプリント基板の係合部は、双方が係合した状態で前記第２のプリント基板のコネクタと第１のプリント基板のコネクタとが装着されるように構成され、さらに、双方のコネクタが装着された状態を保持させる方向に第２のプリント基板を押さえる押え片が前記第１のプリント基板に着脱可能に設けられていることを特徴とする。
また、本発明は、第１のプリント基板に対して、該第１のプリント基板よりも小形な第２のプリント基板を装脱可能に結合させるプリント基板の結合構造を備えた電子機器であって、前記第２のプリント基板に係合部が設けられるとともに、該第２のプリント基板の回路部に接続するコネクタが設けられ、前記第１のプリント基板に、前記係合部が係脱される係合部が設けられるとともに、前記コネクタに装脱可能なコネクタが設けられ、前記第１のプリント基板の係合部と第２のプリント基板の係合部は、双方が係合した状態で前記第２のプリント基板のコネクタと第１のプリント基板のコネクタとが装着されるように構成され、さらに、双方のコネクタが装着された状態を保持させる方向に第２のプリント基板を押さえる押え片が前記第１のプリント基板に着脱可能に設けられていることを特徴とする。
そのため本発明によれば、第１、第２のプリント基板の双方の係合部が係合され、かつ、第１、第２のプリント基板の双方のコネクタが装着された状態で押え片を第１のプリント基板に装着することにより、第１、第２のプリント基板の双方のコネクタが装着された状態に保持される。そして、押え片を第１のプリント基板から外すことにより、第１、第２のプリント基板の双方のコネクタが装着された状態を解除することできる。
【０００５】
【発明の実施の形態】
以下、本発明によるプリント基板の結合構造および電子機器の実施の形態を図面に基づいて詳細に説明する。
図１は、本発明の電子機器としての光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、赤外線検出器１１７Ａ、リモートコントロール用インターフェース１１７Ｂ、ディスクトレイ１１８、トレイ駆動手段１２０、ＩＣカードインターフェース１２２、開閉蓋機構１２４、制御部１２６などを備えている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【０００６】
前記信号処理部１１０は、信号の変調、復調及びＥＣＣ（エラー訂正符号）の付加などの処理を行う。この信号処理部１１０の指令に従って、前記光ヘッド１０４による前記記録、再生が行われる。
前記インターフェース部１１２は、前記信号処理部１１０から供給される復調された再生信号を前記光ディスク装置１００の外部に送出するように構成されている。
前記操作手段１１４は、前記光ディスク装置１００に対する操作を行なうためのものであり、操作ボタンとタッチスイッチを有している。
前記表示手段１１６は、前記光ディスク装置１００の動作状態や操作の使用方法などを示す情報を表示するためのものである。
前記ディスクトレイ１１８は、光ディスク装置１００の筐体の外部と内部の間で光ディスク１０１の移動を行なうように構成されている。
前記トレイ駆動手段１２０は、前記ディスクトレイ１１８を駆動するように構成されている。
前記ＩＣカードインターフェース１２２は、前記ディスク装置１００が動作を行なう上で必要となるデータをディスク装置１００に挿入されたＩＣカード１２１から読み取るように構成されている。
前記開閉蓋機構１２４は、蓋板１０、支持機構１２、駆動手段１４などを備えている。
前記制御部１２６は、上述したスピンドルモータ１０２、サーボ制御部１０８、信号処理部１１０、インターフェース部１１２、操作部１１４、表示部１１６、トレイ駆動手段１２０、ＩＣカードインターフェース１２２、開閉蓋機構１２４の制御を司るものである。
【０００７】
図２は本発明が適用された光ディスク装置の外観を示す斜視図、図３は光ディスク装置の前面に設けられた蓋板が開放された状態を示す斜視図である。
図２、図３に示すように、光ディスク装置１００は、高さと、高さよりも大きな寸法の幅と長さを有する矩形板状の筐体１３０を有している。
前記筐体１３０の前面１３１は、上下方向の高さと、この高さよりも大きな寸法の左右方向の幅を有し、前面１３１には、表示部１３２、タッチスイッチ２０、操作部１３６、前記蓋板１０が設けられている。
前記開閉蓋機構１２４は、上述のように蓋板１０、支持機構１２、駆動手段１４などを備え、前記蓋板１０は前記操作部１３６を覆えるように上下方向の高さと、この高さよりも大きな寸法の左右方向の幅を有している。
前記支持機構１２は、前記蓋板１０と前記筐体１３０とにわたって設けられ、前記蓋板１０で前記操作部１３６を覆う閉塞位置（図２）と前記蓋板１０を操作部１３６から離間させ操作部１３６を開放する開放位置（図３）との間で前記蓋板１０を開閉可能に支持している。
前記駆動手段１４は、前記制御部１２６の制御に基づき前記支持機構１２を駆動することにより前記蓋板１０を前記閉塞位置と開放位置との間で移動させるように構成されている。
【０００８】
前記表示部１３２は、前記前面１３１の上部に幅方向に延在して設けられた光が透過可能な材料で構成されたカバー部材と、該カバー部材の内側に配設された前記表示手段１１６を構成する前記ＬＥＤランプや文字表示器とを含んで構成され、前記表示手段１１６を構成している。
前記操作部１３６は、前記表示部１３２の下方で、かつ、前記表示部１３２よりも後方に偏位した箇所に配設されている。該操作部１３６には、前記操作手段１１４の他の部分を構成する複数個の操作ボタン１３８、前記ディスクトレイ１１８が出入するためのディスク挿入口１４０、前記ＩＣカード１２１を装着するためのＩＣカード挿入口１４２などが設けられている。
【０００９】
本実施の形態においては、前記信号処理部１１０、インターフェース部１１２、前記ＩＣカードインターフェース１２２、制御部１２６は、図４に示すように、筐体１３０の内部に配設された第１のプリント基板２０と第２のプリント基板３０に設けられ、第２のプリント基板３０は第１のプリント基板２０よりも小形である。
【００１０】
図４に示すように、前記第１のプリント基板２０は、矩形板状に形成され、その下面２００２には、不図示の電子部品や各種信号の入出力を行なうための複数のコネクタ２００４Ａ、２００４Ｂ、２００４Ｃが実装されるとともに、前記第２のプリント基板３０が着脱可能に結合されている。
前記第１のプリント基板２０の複数箇所にはねじ挿通孔２００６が設けられている。
図４、図６に示すように、前記第１のプリント基板２０の下面２００２で、前記ねじ挿通孔２００６のうち筐体１３０の後方寄りに位置する２つのねじ挿通孔２００６の周囲には、該第１のプリント基板２０のグランドに接続された導通部分２００８が形成されている。
図５に示すように、前記第１のプリント基板２０は、その下面を下に向けてシールドケース４０の上面を閉塞するように配設され、さらに図１１に示すように、第１のプリント基板２０を覆うように蓋部材６０が設けられている。
【００１１】
前記シールドケース４０は、電磁波をシールドし、かつ、導電性を有する材料、本実施の形態では金属材料で構成され、底壁４００２と、該底壁４００２の四辺から立設された４つの側壁４００４とを備えている。
前記シールドケース４０が筐体１３０の後方に臨む側壁４００４には、前記各コネクタ２００４Ａ、２００４Ｂ、２００４Ｃを該側壁４００４の外方に臨ませる複数の開口４００６Ａ、４００６Ｂ、４００６Ｃが形成されている。
筐体１３０の前方に臨む前記シールドケース４０の底壁４００２の前方寄りの箇所にはねじ挿通孔４００８が左右に間隔をおいて設けられ、前側の側壁４００４の上部には左右に間隔をおいてねじ孔４０１０が設けられ、また、左側の側壁４００４の上部にもねじ孔４０１０が設けられている。
さらに、シールドケース４０の底壁４００２の後方寄り箇所には、導電材料から構成される取付部材４２が左右に間隔をおいて突設されている。
図６に示すように、前記取付部材４２は、上下方向に延在する筒部４２０２を備え、筒部４２０２の下部のかしめ部４２０４が、シールドケース４０の底壁４００２の孔に取付けられることで取付部材４２はシールドケースに配設され、筒部４２０２の中心にはねじ挿通孔４２０６が上下に貫通している。
【００１２】
前記第１のプリント基板２０のシールドケース４０への取付け、およびシールドケース４０の筐体１３０への取付けは次のようになされている。
図７に示すように、前記筐体１３０の内部内の上部には、導電性を有する金属材料などのような導電材料で構成され該筐体１３０に電気的に導通された４つの取付片１３０Ａが配置され、前記各取付片１３０Ａにはねじ孔１３０Ｂが形成されている。
まず、これら４つの取付片１３０Ａの上にシールドケース４０を載置し、図５に示すように、シールドケース４０の底壁４００２のねじ挿通孔４００８に挿通させたねじ４５を取付片１３０Ａのねじ孔１３０Ｂに螺合させる。
次に、シールドケース４０の上に、下面２００２を下に向けて第１のプリント基板２０を載せ、図６に示すように、第１のプリント基板２０のねじ挿通孔２００６および取付部材４２のねじ挿通孔４２０６にねじ４４を挿通させ、このねじ４４の下端を前記取付片１３０Ａのねじ孔１３０Ｂに螺合させる。
これによりシールドケース４０は、第１のプリント基板２０とともに筐体１３０に取付けられる。
そして、最後に、シールドケース４０のねじ孔４０１０に対応する第１のプリント基板２０のねじ挿通孔２００６にねじ４６を挿通させ、これらねじ４６をねじ孔４０１０に螺合することで第１のプリント基板２０をシールドケース４０に取付ける。
この状態で、コネクタ２００４Ａ、２００４Ｂ、２００４Ｃは開口４００６Ａ、４００６Ｂ、４００６Ｃからシールドケース４０の外方に臨み、さらにこれらコネクタ２００４Ａ、２００４Ｂ、２００４Ｃは筐体１３０の開口１５０Ａ、１５０Ｂ、１５０Ｃから筐体１３０の外方に臨んでいる。
また、この状態で、図６に示すように、前記導電部分２００８と前記取付部材４２を介して第１のプリント基板２０とシールドケース４０と筐体１３０は電気的に導通され、アースが共通に接続された状態となっている。
【００１３】
なお、取付部材のねじ挿通孔４２０６をねじ孔にしておくと、第１のプリント基板２０をシールドケース４０に電気的に導通させた状態で取付けることができる。
すなわち、シールドケース４０に単一または複数の筒状の導電材料からなる取付部材４２を立設し、前記第１のプリント基板２０の導電部分２００８を前記取付部材４２の上面に位置させた状態で第１のプリント基板２０を取付部材４２に載置し、ねじにより第１のプリント基板２０を取付部材４２のねじ孔に締結することで第１のプリント基板２０をシールドケース４０に導通させた状態で取付けることができる。
このように導電材料からなる取付部材４２を用いることで、従来のようにシールドケース４０に型成形された膨出部を設ける場合に比べて、電気的に導通させるための空間部容積を大幅に減少でき、したがってシールドケース４０内の容積を大きく確保でき、シールドケース４０内に種々の部品をレイアウトする上で有利となり、また、シールドケース４０のコンパクト化を図る上で有利となる。
なお、第１のプリント基板２０をシールドケース４０に取付けるに際して、取付部材４２のみを用いてもよく、あるいは、取付部材４２とねじ４６とを併用するようにしてもよい。
【００１４】
本実施の形態においては、前記第１のプリント基板２０と第２のプリント基板３０に本発明のプリント基板の結合構造が適用されている。
図８は第２のプリント基板を第１のプリント基板から離し、この状態を図４の下方から見た図、図９は蓋部材の斜視図、図１０は第２のプリント基板を第１のプリント基板に装着し、この状態を図４の下方から見た図、図１１（Ａ）は図１０のＡＡ線断面図、（Ｂ）は図１０のＢＢ線断面図である。
図８に示すように、前記第２のプリント基板３０が装着される第１のプリント基板２０の下面２００２の部分には、矩形枠状の枠部材５０が設けられている。そして、図１０に示すように、該枠部材５０の内側に前記第２のプリント基板３０が収容された状態でこれら該枠部材５０および第２のプリント基板３０を覆うように蓋部材６０（特許請求の範囲の押え片に相当）が設けられている。
【００１５】
図８に示すように、前記第２のプリント基板３０はほぼ長方形に形成され、その長さ方向の一方の端部３００２に、幅方向に間隔をおいて２つの係止爪３００４（特許請求の範囲の係合部に相当）が突設されている。
また、前記第２のプリント基板３０の長さ方向の他方の端部３００６に指掛け部３００８が突設されている。
前記第２のプリント基板３０の一方の面には、前記一方の端部３００２とは反対側の箇所に、すなわち前記長さ方向の他方の端部３００３寄りの箇所に該第２のプリント基板３０の回路部に接続するコネクタ３００６が突設されている。
また、前記第２のプリント基板３０の一方の面および他方の面の少なくとも一方には、前記回路部を構成するＬＳＩ３００１などの各種電子部品が実装されている。
【００１６】
図８に示すように、前記枠部材５０は電磁波をシールドする材料、本実施の形態では金属材料で構成されている。
前記枠部材５０は、前記第２のプリント基板の短辺に対応した寸法の第１側壁５００２および第２側壁５００４と、前記第２のプリント基板の長辺に対応した寸法の第３側壁５００６および第４側壁５００８とを備えている。
図８、図１１（Ａ）に示すように、前記第１側壁５００２の両側箇所には、前記第２のプリント基板３０の係止爪３００４に係脱可能な係合溝５０１０（特許請求の範囲の係合部に相当）が形成されている。
前記係合溝５０１０の第１のプリント基板２０寄りの第１側壁５００２箇所には、枠部材５０の内側に突設する当接片５０１１がそれぞれ設けられている。
図１１（Ｂ）、図１３（Ｂ）に示すように、前記第１側壁５００２の中間箇所には、枠部材５０の外側に突設する係合凸部５０１２が設けられている。
【００１７】
前記第２側壁５００４の中間箇所には、前記第２のプリント基板３０の指掛け部３００８が収容可能な切欠部５０１６が設けられている。
図８、図１１（Ａ）に示すように、前記第２側壁５００４の両側箇所には、長溝状の係合孔５０１４が設けられている。
また、枠部材５０の内側箇所で第２側壁５００４寄りの第１のプリント基板２０の下面２００２箇所には、前記第２のプリント基板３０のコネクタ３００６に装脱可能なコネクタ２００８が設けられている。前記コネクタ２００８、３００６が互いに装着されることでこれらコネクタ２００８、３００６を介して前記第１のプリント基板２０の回路部と第２のプリント基板３０の回路部との間で各種信号が相互に伝達される。
そして、図１２に示すように、前記枠部材５０の係合溝５０１０は、前記第２のプリント基板３０の係止爪３００４が挿入された状態で該係止爪３００４との係合箇所を支点として第２のプリント基板３０を第１のプリント基板側に揺動させると、前記第２のプリント基板３０のコネクタ３００６と第１のプリント基板のコネクタ２００８とが装着され、この状態で係止爪３００４が当接片５０１１の上に載置され、指掛け部３００８が切欠５０１６に載置され、第２のプリント基板３０は第１のプリント基板２０に対して平行した状態となるように構成されている。
【００１８】
前記蓋部材６０は電磁波をシールドする材料、本実施の形態では金属材料で構成されている。
図９、図１１に示すように、前記蓋部材６０（特許請求の範囲の押え片に相当）は、前記枠部材の長さと幅に対応した寸法の矩形状の本体板部６００２と、本体板部６００２の四辺から突設され前記第１乃至第４側壁５００２、５００４、５００６、５００８に対応する第１乃至第４側壁６００４、６００６、６００８、６０１０とを備えている。
図１３（Ａ）に示すように、前記第１側壁６００４には係止片６０１１が突設され、この係止片６０１１には前記係合凸部５０１２に係合可能な係合孔６０１２が設けられている。
また、前記係止片６０１１の先端は、前記蓋部材６０の外方に傾斜する指掛け部６０１４として形成されている。
前記第２側壁６００６の両側箇所には、前記枠部材５０の係合孔５０１４に係脱可能な係合片６０１６がそれぞれ形成されている。
図９、図１１（Ｂ）に示すように、前記本体板部６００２の前記第２側壁６００６寄り箇所には、前記第１のプリント基板２０のコネクタ２００８に装着された第２のプリント基板３０部分を押さえるための押え片６０２０が突設され、この押え片６０２０には板状の押え部材６０１８が取着され、押え部材６０１８は、本実施の形態では、弾性を有するゴム部材で構成されている。
【００１９】
第２のプリント基板３０の第１のプリント基板２０への取付けは次のようになされる。
まず、前記枠部材５０の係合溝５０１０に、前記第２のプリント基板３０の係止爪３００４を挿入した状態で該係止爪３００４との係合箇所を支点として第２のプリント基板３０を第１のプリント基板側に揺動させコネクタ３００６とコネクタ２００８とを装着させる。
次いで、図１１に示すように、蓋部材６０の係合片６０１６を係合孔５０１４に挿入して係合させた状態で、係合片６０１６と係合孔５０１４の係合箇所を支点として蓋部材６０を枠部材５０側に揺動させ、係合孔６０１２に係合凸部５０１２を係合させる。これにより、前記押え片６０２０が押え部材６０１８を介して前記第１のプリント基板２０のコネクタ２００８に装着された第２のプリント基板３０部分を押さえる。すなわち、前記押え片６０２０と押え部材６０１８の弾性力とにより双方のコネクタが装着された状態を保持する方向に付勢する。
【００２０】
また、第２のプリント基板３０の第１のプリント基板２０からの取り外しは次のように行なわれる。
まず、前記蓋部材６０の指掛け部６０１４に指を掛けて係止片６０１１に外方に力を加え、係合孔６０１２と係合凸部５０１２の係合を解除し、さらに係合片６０１６と係合孔５０１４の係合箇所を支点として蓋部材６０を枠部材５０側から離間する方向に揺動させるとともに、係合片６０１６を係合孔５０１４から取り外すことによって蓋部材６０を枠部材５０から取り外す。
次いで、図１２に示すように、第２のプリント基板３０の指掛け部３００８に指を掛けて該指掛け部３００８を第１のプリント基板２０から離間させる方向に力を加える。これにより、第２のプリント基板３０は、その係止爪３００４が係合溝５０１０に挿入された状態で該係止爪３００４との係合箇所を支点として第１のプリント基板２０から離間する方向に揺動され、前記第２のプリント基板３０のコネクタ３００６と第１のプリント基板のコネクタ２００８との装着が解除され、第２のプリント基板３０が第１のプリント基板２０から取り外される。
【００２１】
以上詳述した本実施の形態によれば、従来と違ってドライバーを使用してねじの取付けや取り外しを行なう必要が無く、第２のプリント基板３０の第１のプリント基板２０に対する着脱作業を極めて簡単に短時間で行なうことができる。
また、第２のプリント基板３０が第１のプリント基板２０に取付けられた状態で、双方のコネクタが装着された箇所を押え片６０２０により押さえるので、第２のプリント基板３０の第１のプリント基板２０への装着状態やコネクタの装着状態を確実に保持することができる。
また本実施の形態では、電磁波をシールドする材料から形成された蓋部材６０と枠部材５０とで形成される空間の内部に第２のプリント基板３０を配置するようにしたので、第２のプリント基板３０から輻射される電磁波を枠部材５０と蓋部材６０によってシールドすることができ、したがって、不要な電磁波の第１のプリント基板２０の回路部などへの影響を阻止し、光ディスク装置１００の円滑な動作を保証する上で有利となる。
【００２２】
【発明の効果】
以上説明したように本発明によれば、第１のプリント基板に対する第２のプリント基板の着脱作業の容易化を図る上で有利なプリント基板の結合構造および電子機器を提供することができる。
【図面の簡単な説明】
【図１】本発明の電子機器としての光ディスク装置の構成を示すブロック図である。
【図２】本発明が適用された光ディスク装置の外観を示す斜視図である。
【図３】光ディスク装置の前面に設けられた蓋板が開放された状態を示す斜視図である。
【図４】第１のプリント基板とシールドケースを離した状態を示す斜視図である。
【図５】第１のプリント基板とシールドケースを筐体に組み込んだ状態を示す図である。
【図６】取付部材と第１のプリント基板とシールドケースの結合部分を示す図である。
【図７】第１のプリント基板とシールドケースを筐体から離した状態を示す図である。
【図８】第２のプリント基板を第１のプリント基板から離し、この状態を図４の下方から見た図である。
【図９】蓋部材の斜視図である。
【図１０】第２のプリント基板を第１のプリント基板に装着し、この状態を図４の下方から見た図である。
【図１１】（Ａ）は図１０のＡＡ線断面図、（Ｂ）は図１０のＢＢ線断面図である。
【図１２】第１のプリント基板と第２のプリント基板の装脱を説明する図である。
【図１３】（Ａ）は蓋部材の断面図、（Ｂ）は枠部材の断面図である。
【符号の説明】
２０……第１のプリント基板、２００８……コネクタ、３０……第２のプリント基板、３００４……係止爪、３００６……コネクタ、５０……枠部材、５０１０……係合溝、６０……蓋部材、６０１８……押え部材、６０２０……押え片。
【図１】
2004103687.tif 000003
【図２】
2004103687.tif 000004
【図３】
2004103687.tif 000005
【図４】
2004103687.tif 000006
【図５】
2004103687.tif 000007
【図６】
2004103687.tif 000008
【図７】
2004103687.tif 000009
【図８】
2004103687.tif 000010
【図９】
2004103687.tif 000011
【図１０】
2004103687.tif 000012
【図１１】
2004103687.tif 000013
【図１２】
2004103687.tif 000014
【図１３】
2004103687.tif 000015